(57)【要約】  中実の略逆椀状であってシンバル（３００）が当接する湾曲部（１２）を有すると共に、中心軸に軸棒を貫通させる貫通孔（１８）を有する支持具本体（１０）からなり、湾曲部側（１２）の貫通孔（１８）の開口部（１８ａ）が、湾曲状又は直線状に面取りされており、また、支持具本体（１０）の硬度が２５度〜８０度の革、コルク、フェルト、シリコーン樹脂又はゴムスポンジの１種類又はこれらのうちの２種類以上の組み合わせであることを特徴とする。
2018084026.tif 000002
【特許請求の範囲】
【請求項１】
シンバルをスタンドの軸棒に保持させるためのシンバル用支持具において、
中実の略逆椀状であって該シンバルが当接する湾曲部を有すると共に、中心軸に該軸棒を貫通させる貫通孔を有する支持具本体からなることを特徴とするシンバル用支持具。
【請求項２】
前記支持具本体が、前記湾曲部と対向する面側に、円柱状の土台部を有することを特徴とする請求項１記載のシンバル用支持具。
【請求項３】
前記支持具本体の前記湾曲部側の前記貫通孔の開口部が、湾曲状又は直線状に面取りされていることを特徴とする請求項１又は請求項２のいずれかに記載のシンバル用支持具。
【請求項４】
前記支持具本体の前記湾曲部側の前記貫通孔の開口部の面取りが、半径１ｍｍ〜半径３ｍｍの湾曲状であることを特徴とする請求項３記載のシンバル用支持具。
【請求項５】
前記支持具本体の材質が、革、コルク、フェルト、シリコーン樹脂又はゴムスポンジの１種類又はこれらのうちの２種類以上の組み合わせであることを特徴とする請求項１〜請求項４のいずれかに記載のシンバル用支持具。
【請求項６】
前記支持具本体の硬度が、２５度〜８０度であることを特徴とする請求項１〜請求項５のいずれかに記載のシンバル用支持具。
【請求項７】
前記支持具本体の高さが８ｍｍ〜３０ｍｍ、底面の直径が２０ｍｍ〜４５ｍｍ、前記湾曲部の湾曲度合いが半径１０ｍｍ〜半径３０ｍｍであることを特徴とする請求項１〜請求項６のいずれかに記載のシンバル用支持具。
【請求項８】
前記支持具本体の高さが１７ｍｍ、底面の直径が３４ｍｍ、硬度が４０度、前記湾曲部の湾曲度合いが半径２５．５ｍｍで、該支持具本体の前記湾曲部側の前記貫通孔の開口部が半径１ｍｍの湾曲状に面取りされていることを特徴とする請求項１又は請求項５記載のシンバル用支持具。
【請求項９】
シンバルをスタンドの軸棒に保持させるためのシンバル用支持具の使用方法において、
該シンバルの下方に、請求項１〜請求項８のいずれかに記載の第１のシンバル用支持具を、湾曲部が該シンバル側になるように該軸棒の貫通孔を貫通させて配置し、
該第１のシンバル用支持具の上方に該シンバルを載置し、
該シンバルの上方に、請求項１〜請求項８のいずれかに記載の第２のシンバル用支持具を、湾曲部が該シンバル側になるように該軸棒を貫通孔に貫通させて配置することを特徴とするシンバル用支持具の使用方法。
【発明の詳細な説明】
【技術分野】
【０００１】
本発明は、シンバルをスタンドのスタンド軸棒に保持させるためのシンバル用支持具及びシンバル用支持具の使用方法に関する。
【背景技術】
【０００２】
従来より、シンバルをスタンドのスタンド軸棒に保持させて、シンバルを演奏するためのシンバル用支持具が用いられている。【０００３】
例えば、特許文献１や特許文献２に記載のフェルトワッシャが、シンバル用支持具の一般的な例である。特許文献１のフェルトワッシャは、肉厚の円筒状のフェルトである。そして、シンバルの孔の周囲の上下を、２つのフェルトワッシャで挟んだ上で、スタンドの棒状のホルダ本体に上方のフェルトワッシャの上から蝶ナットを螺着して、シンバルをホルダ本体に固定する（特許文献２のフェルトワッシャも同様な使用方法である）。【０００４】
このように、従来のシンバル用支持具であるフェルトワッシャは、まさにワッシャのようにシンバルの上下に面状にあてがい、シンバルの孔の周囲の面を押さえて、固定するものである。
【先行技術文献】
【特許文献】
【０００５】
【特許文献１】特開平９−３２５７６７号公報
【特許文献２】特開２０１４−７７８６４号公報
【発明の概要】
【発明が解決しようとする課題】
【０００６】
しかしながら、従来のシンバル用支持具では、シンバルに密接する側が、面状で、シンバルの自由な動きや振動を抑圧してしまい、シンバルの本来の響きを抑えてしまっていた。【０００７】
本発明は、このような事情に鑑みてなされたもので、シンバルの動きや振動の抑圧を軽減し、シンバルの本来の響きを確保しつつシンバルを保持可能なシンバル用支持具及びシンバル用支持具の使用方法を提供することにある。
【課題を解決するための手段】
【０００８】
請求項１記載のシンバル用支持具は、中実の略逆椀状であってシンバルが当接する湾曲部を有すると共に、中心軸に軸棒を貫通させる貫通孔を有する支持具本体からなることを特徴とする。【０００９】
請求項２記載のシンバル用支持具は、支持具本体が、湾曲部と対向する面側に、円柱状の土台部を有することを特徴とする。【００１０】
請求項３記載のシンバル用支持具は、支持具本体の湾曲部側の貫通孔の開口部が、湾曲状又は直線状に面取りされていることを特徴とする。【００１１】
請求項４記載のシンバル用支持具は、支持具本体の湾曲部側の貫通孔の開口部の面取りが、半径１ｍｍ〜半径３ｍｍの湾曲状であることを特徴とする。【００１２】
請求項５記載のシンバル用支持具は、支持具本体の材質が、革、コルク、フェルト、シリコーン樹脂又はゴムスポンジの１種類又はこれらのうちの２種類以上の組み合わせであることを特徴とする。【００１３】
請求項６記載のシンバル用支持具は、支持具本体の硬度が、２５度〜８０度であることを特徴とする。【００１４】
請求項７記載のシンバル用支持具は、支持具本体の高さが８ｍｍ〜３０ｍｍ、底面の直径が２０ｍｍ〜４５ｍｍ、湾曲部の湾曲度合いが半径１０ｍｍ〜半径３０ｍｍであることを特徴とする。【００１５】
請求項８記載のシンバル用支持具は、支持具本体の高さが１７ｍｍ、底面の直径が３４ｍｍ、硬度が４０度、湾曲部の湾曲度合いが半径２５．５ｍｍで、支持具本体の湾曲部側の貫通孔の開口部が半径１ｍｍの湾曲状に面取りされていることを特徴とする。【００１６】
請求項９記載のシンバル用支持具の使用方法は、シンバルの下方に、請求項１〜請求項８のいずれかに記載の第１のシンバル用支持具を、湾曲部がシンバル側になるように軸棒の貫通孔を貫通させて配置し、第１のシンバル用支持具の上方にシンバルを載置し、シンバルの上方に、請求項１〜請求項８のいずれかに記載の第２のシンバル用支持具を、湾曲部がシンバル側になるように軸棒を貫通孔に貫通させて配置することを特徴とする。
【発明の効果】
【００１７】
本願の発明によれば、シンバルの動きや振動の抑圧を軽減し、シンバルの本来の響きを確保しつつシンバルを保持可能である。
【図面の簡単な説明】
【００１８】
【図１】本発明に係るシンバル用支持具の一例の形態を示す説明図である。
【図２】同シンバル用支持具の使用方法の一例を示す説明図である。
【図３】同シンバル用支持具の使用方法の一例を示す説明図である。
【図４】本発明に係るシンバル用支持具の第１の実施の形態を示す説明図である。
【図５】本発明に係るシンバル用支持具の第１の実施の形態を示す説明図である。
【図６】本発明に係るシンバル用支持具の第１の実施の形態を示す説明図である。
【図７】本発明に係るシンバル用支持具の第１の実施の形態を示す説明図である。
【図８】本発明に係るシンバル用支持具の第２の実施の形態を示す説明図である。
【図９】本発明に係るシンバル用支持具の第３の実施の形態を示す説明図である。
【図１０】本発明に係るシンバル用支持具の第４の実施の形態を示す説明図である。
【図１１】本発明に係るシンバル用支持具の第５の実施の形態を示す説明図である。
【図１２】本発明に係るシンバル用支持具の第６の実施の形態を示す説明図である。
【図１３】本発明に係るシンバル用支持具の第７の実施の形態を示す説明図である。
【図１４】本発明に係るシンバル用支持具の第８の実施の形態を示す説明図である。
【図１５】本発明に係るシンバル用支持具の第９の実施の形態を示す説明図である。
【図１６】本発明に係るシンバル用支持具の第１０の実施の形態を示す説明図である。
【発明を実施するための形態】
【００１９】
以下、本発明の形態について図面を参照しながら具体的に説明する。図１は、本発明に係るシンバル用支持具の一例の形態を示す説明図である。図２及び図３は、同シンバル用支持具の使用方法の一例を示す説明図である。
【００２０】
本発明に係るシンバル用支持具１は、シンバル３００をスタンドのスタンド軸棒１００に保持させるためのものである。もっとも典型的な形状としては、図１〜図３に示すシンバル用支持具１がある。シンバル用支持具１は、支持具本体１０からなり、支持具本体１０は、中実の略逆椀状であってシンバル３００が当接する湾曲部１２を有すると共に、中心軸にスタンド軸棒１００を貫通させる貫通孔１８を有する形状である。ここで、後述するように、湾曲部１２の一部が、シンバル３００と密接する部分になる。また、シンバル用支持具１（支持具本体１０）の場合、湾曲部１２と対向する面（底面１６）側に、円柱状の土台部１４を有している。土台部１４は、必ず必要というわけではないが、後述する使用方法においては、設けた方が好ましい場合もある。
【００２１】
シンバル用支持具１（支持具本体１０）の材質は、シンバル３００の重さで激しく縮小せず、適度な弾性力を有するものであって、シンバル３００の振動に耐えて所定期間にわたって破壊しないものであればよい。シンバル用支持具１（支持具本体１０）の材質は、革、コルク、フェルト、シリコーン樹脂又はゴムスポンジの１種類又はこれらのうちの２種類以上の組み合わせが好ましい。また、シンバル用支持具１（支持具本体１０）の硬度が、２５度〜８０度であることが望ましい。但し、シンバル３００の音色を考慮すると、シンバル用支持具１（支持具本体１０）の硬度が、２５度〜５０度がより望ましいこともある。尚、本願における硬度は、ＪＩＳ  Ｋ  ６２５３のタイプＡ（ＪＩＳ  Ｋ  ６２５３  デュロメータ  タイプＡ（ショアＡ））よるものである。
【００２２】
支持具本体１０の湾曲部１２の湾曲の度合いは、貫通孔１８の湾曲部１２側の開口部１８ａの周辺のみでシンバル３００に密接し、湾曲部１２の全体がシンバル３００に密接しない程度の湾曲を有する必要になる。図１〜図３のシンバル用支持具１の支持具本体１０では、底面１６の直径が、３８ｍｍ〜４５ｍｍで、全体の高さが２０ｍｍ〜３０ｍｍであり、湾曲部１２の湾曲度合いは、半径２０ｍｍ〜半径３０ｍｍである。尚、土台部１４の高さは、１ｍｍ〜５ｍｍである。このシンバル用支持具１の支持具本体１０の寸法的な数値は、シンバル３００の大きさ等によって適宜選択されるものである。他の大きさとしては、例えば、底面の直径が、３０ｍｍ〜３８ｍｍで、全体の高さが８ｍｍ〜２０ｍｍで、湾曲部１２の湾曲度合いが半径１０ｍｍ〜半径２０ｍｍのような小さなサイズのものであってもよい。支持具本体１０の高さが８ｍｍ〜３０ｍｍ、底面１６の直径が２０ｍｍ〜４５ｍｍ、湾曲部１２の湾曲度合いが半径１０ｍｍ〜半径３０ｍｍの範囲が好ましい。
【００２３】
次に、シンバル用支持具１の使用方法を説明する。まず、図２及び図３に示すように、シンバル３００のスタンドには、スタンド軸棒１００が起立し、その上端にネジ部１０２が、螺設されている。このスタンド軸棒１００のネジ部１０２に、固定部材１１０を螺着する。具体的には、固定部材１１０は、円盤状で上面が中心から外周に向かって傾斜する皿部１１２と、皿部１１２の軸中心から上方に起立する円筒部１１４を有し、円筒部１１４の内周面には、ネジ山が穿設されたネジ山部１１６となっている。
【００２４】
スタンド軸棒１００に固定部材１１０のネジ山部１１６をねじ込むことで、固定部材１１０をスタンド軸棒１００に固定する。次に、シンバル用支持具１（支持具本体１０）を、固定部材１１０に嵌め込んでいく。具体的には、支持具本体１０の底面１６が、固定部材１１０の皿部１１２の上面側にし、支持具本体１０の貫通孔１８に固定部材１１０の円筒部１１４が挿入されるように嵌め込んでいく。そして、図３に示すように、支持具本体１０の底面１６を、固定部材１１０の皿部１１２の上面の傾斜に沿って密着させて固定させる。このとき、基本的に、固定部材１１０の円筒部１１４の先端が、支持具本体１０の開口部１８ａよりも上方に突出することになる。
【００２５】
この状態で、シンバル３００のシンバル本体３１０の下面３１０ｂを、シンバル用支持具１（支持具本体１０）及び固定部材１１０側にし、シンバル孔３１２にスタンド軸棒１００のネジ部１０２を挿入しつつ、さらに、固定部材１１０の円筒部１１４を挿入しつつ、シンバル本体３１０の下面３１０ｂを、シンバル用支持具１（支持具本体１０）の湾曲部１２に載置して、シンバル本体３１０の自重で、密接させる。
【００２６】
このような構成のシンバル用支持具１によれば、シンバル３００の動きや振動の抑圧を軽減し、シンバル３００の本来の響きを確保しつつシンバル３００を保持可能である。
【実施例１】
【００２７】
以下の実施例では、ほぼ基本形となるシンバル用支持具１の他の形状の例について説明する。図４〜図７は、本発明に係るシンバル用支持具の第１の実施の形態を示す説明図である。本実施例１のシンバル用支持具２は、支持具本体２０からなり、支持具本体２０は、中実の略逆椀状であってシンバル３００が当接する湾曲部２２を有すると共に、中心軸にスタンド軸棒１００を貫通させる貫通孔２８を有する形状である。また、支持具本体２０の湾曲部２２と対向する面（底面２６）側に、円柱状の土台部２４を有している。【００２８】
また、支持具本体２０の湾曲部２２側の貫通孔２８の開口部２８ａが、湾曲状に面取りされている。開口部２８ａの面取りが湾曲状の場合、半径１ｍｍ〜半径３ｍｍが好ましい。尚、図４〜図７のシンバル用支持具２（支持具本体２０）の開口部２８ａの面取りは、湾曲状であるが、直線上に面取りされていてもよい。【００２９】
シンバル用支持具２（支持具本体２０）の材質や硬度や使用方法は、シンバル用支持具１（支持具本体１０）と同様である。また、シンバル用支持具２（支持具本体２０）の大きさや湾曲部の湾曲度合いは、シンバル用支持具１（支持具本体１０）で上述した範囲であればよいが、より具体的には、例えば、底面２６の直径が、約４０ｍｍで、全体の高さが約２２ｍｍであり、湾曲部２２の湾曲度合いは、半径約２５．５ｍｍである。尚、土台部２４の高さは、約２ｍｍである。また、開口部２８ａの湾曲状の面とりの湾曲度合いは、半径約３ｍｍである。【００３０】
シンバル用支持具２（支持具本体２０）のように、湾曲部２２側の貫通孔２８の開口部２８ａが、湾曲状又は直線状に面取りされていることで、シンバル３００が激しく振動しても、その影響が、開口部２８ａに直接伝わらず、シンバル用支持具２が破損しにくくなる。
【実施例２】
【００３１】
図８は、本発明に係るシンバル用支持具の第２の実施の形態を示す説明図である。本実施例２のシンバル用支持具３は、支持具本体３０からなり、支持具本体３０は、中実の略逆椀状であってシンバル３００が当接する湾曲部３２を有すると共に、中心軸にスタンド軸棒１００を貫通させる貫通孔３８を有する形状である。【００３２】
シンバル用支持具３（支持具本体３０）の湾曲部３２の形状は、比較的直線的ではあるが、湾曲している形状である。この形状であっても、支持具本体３０の湾曲部３２の湾曲の度合いは、貫通孔３８の湾曲部３２側の開口部３８ａの周辺のみでシンバル３００に密接し、湾曲部３２の全体がシンバル３００に密接しない程度の湾曲である。【００３３】
シンバル用支持具３（支持具本体３０）の材質や硬度や使用方法は、シンバル用支持具１（支持具本体１０）と同様である。
【実施例３】
【００３４】
図９は、本発明に係るシンバル用支持具の第３の実施の形態を示す説明図である。本実施例３のシンバル用支持具４は、支持具本体４０からなり、支持具本体４０は、中実の略逆椀状であってシンバル３００が当接する湾曲部４２を有すると共に、中心軸にスタンド軸棒１００を貫通させる貫通孔４８を有する形状である。【００３５】
シンバル用支持具４（支持具本体４０）の湾曲部４２の形状は、比較的直線的ではあるが、湾曲している形状である。この形状であっても、支持具本体４０の湾曲部４２の湾曲の度合いは、貫通孔４８の湾曲部４２側の開口部４８ａの周辺のみでシンバル３００に密接し、湾曲部４２の全体がシンバル３００に密接しない程度の湾曲である。尚、シンバル用支持具４（支持具本体４０）の湾曲部４２の傾斜は、シンバル用支持具３（支持具本体３０）の湾曲部３２の傾斜に比べ、急峻である。【００３６】
シンバル用支持具４（支持具本体４０）の材質や硬度や使用方法は、シンバル用支持具１（支持具本体１０）と同様である。
【実施例４】
【００３７】
図１０は、本発明に係るシンバル用支持具の第４の実施の形態を示す説明図である。本実施例４のシンバル用支持具５は、支持具本体５０からなり、支持具本体５０は、中実の略逆椀状であってシンバル３００が当接する湾曲部５２を有すると共に、中心軸にスタンド軸棒１００を貫通させる貫通孔５８を有する形状である。【００３８】
シンバル用支持具５（支持具本体５０）の湾曲部５２は、上方がなだらかな湾曲形状であるが、他のシンバル用支持具とは異なり、湾曲部５２が短く、他方、支持具本体５０の湾曲部５２と対向する面（底面５６）側に、比較的高さのある円柱状の土台部５４を有している形状である。尚、湾曲部５２の湾曲度合いは、シンバル用支持具１（支持具本体１０）やシンバル用支持具２（支持具本体２０）とほぼ同様である。【００３９】
シンバル用支持具５（支持具本体５０）の材質や硬度や使用方法は、シンバル用支持具１（支持具本体１０）と同様である。
【実施例５】
【００４０】
図１１は、本発明に係るシンバル用支持具の第５の実施の形態を示す説明図である。本実施例５のシンバル用支持具６は、支持具本体６０からなり、支持具本体６０は、中実の略逆椀状であってシンバル３００が当接する湾曲部６２を有すると共に、中心軸にスタンド軸棒１００を貫通させる貫通孔６８を有する形状である。また、支持具本体６０の湾曲部６２と対向する面（底面６６）側に、円柱状の土台部６４を有している。【００４１】
シンバル用支持具６（支持具本体６０）の湾曲部６２は、全体として湾曲しているが、中段近郊にくびれ状の湾曲を有している。【００４２】
シンバル用支持具６（支持具本体６０）の材質や硬度や使用方法は、シンバル用支持具１（支持具本体１０）と同様である。
【実施例６】
【００４３】
図１２は、本発明に係るシンバル用支持具の第６の実施の形態を示す説明図である。本実施例６のシンバル用支持具７は、支持具本体７０からなり、支持具本体７０は、中実の略逆椀状であってシンバル３００が当接する湾曲部７２を有すると共に、中心軸にスタンド軸棒１００を貫通させる貫通孔７８を有する形状である。【００４４】
シンバル用支持具７（支持具本体７０）の湾曲部７２は、上方がなだらかな湾曲形状であるが、シンバル用支持具５（支持具本体５０）と同様に、湾曲部７２が短く、他方、支持具本体７０の湾曲部７２と対向する面（底面７６）側に、比較的高さのある円柱状の土台部７４を有している形状である。尚、湾曲部７２の湾曲度合いは、シンバル用支持具５（支持具本体５０）に比べて、より一層丸みを帯びている。【００４５】
シンバル用支持具７（支持具本体７０）の材質や硬度や使用方法は、シンバル用支持具１（支持具本体１０）と同様である。
【実施例７】
【００４６】
図１３は、本発明に係るシンバル用支持具の第７の実施の形態を示す説明図である。本実施例７のシンバル用支持具８は、他のシンバル用支持具と異なり、支持具本体８０と内挿部材９０とからなる。支持具本体８０は、中実の略逆椀状である湾曲部８２を有すると共に、中心軸にスタンド軸棒１００よりも径の大きな貫通孔８８を有する形状である。また、内挿部材９０は、円筒形で、先端部９０ａがシンバル３００が当接する湾曲部となっており、中心軸にスタンド軸棒１００を貫通させる貫通孔８８を有し、外径は、支持具本体８０の貫通孔８８に挿入可能な径になっている。【００４７】
すなわち、シンバル用支持具８は、支持具本体８０と内挿部材９０とにより、全体として、他のシンバル用支持具と同等な形状で且つ同等な機能を有している。そして、シンバル用支持具８の支持具本体８０と内挿部材９０の材質は、革、コルク、フェルト、シリコーン樹脂又はゴムスポンジのいずれかの組み合わせが望ましい。また、支持具本体８０と内挿部材９０の硬度は、シンバル用支持具１（支持具本体１０）と同様である。但し、支持具本体８０と内挿部材９０とで、硬度の違う材質を用いることも可能である。さらに、シンバル用支持具８の使用方法は、図１３（ｃ）に示すように、全体としては、シンバル用支持具１と同様である。
【実施例８】
【００４８】
図１４は、本発明に係るシンバル用支持具の第８の実施の形態を示す説明図である。本実施例では、上述のシンバル用支持具の使用方法に加え、他の使用方法について説明する。尚、図１４に示すシンバル用支持具２（支持具本体２０）は、上述の通りである。また、シンバル用支持具９（支持具本体２００）は、シンバル用支持具２（支持具本体２０）と同様のものである。【００４９】
まず、図３の場合と同様に、シンバル用支持具２（支持具本体２０）をスタンドのスタンド軸棒１００に固定部材１１０を介して固定し、その上に、シンバル３００を載置する。次に、シンバル３００の上方に、他のシンバル用支持具であるシンバル用支持具９（支持具本体２００）を、その湾曲部２０２がシンバル３００側（上面３１０ａ側）になるようにスタンド軸棒１００を貫通孔２０８に貫通させて配置する。そして、貫通孔２０８から突出したスタンド軸棒１００のネジ部１０２に蝶ネジ１２０を螺嵌して、全体を固定するようにする。【００５０】
尚、本使用方法の説明として、シンバル用支持具２及びシンバル用支持具９を用いたが、他のシンバル用支持具の任意の組み合わせで使用するようにしてもよい。【００５１】
すなわち、シンバル３００の下方に、シンバル用支持具を、湾曲部がシンバル側になるようにスタンド軸棒の貫通孔を貫通させて配置し、そのシンバル用支持具の上方にシンバルを載置し、シンバルの上方に、他のシンバル用支持具を、湾曲部がシンバル側になるようにスタンド軸棒を貫通孔に貫通させて配置している。
【実施例９】
【００５２】
以下の実施例では、基本形となるシンバル用支持具１に比べ小さな形状の例について説明する（但し、シンバル用支持具１の土台部２４に相当する部分を有さない）。本発明に係るシンバル用支持具の第９の実施の形態を示す説明図である。本実施例９のシンバル用支持具４００は、支持具本体４１０からなり、支持具本体４１０は、中実の略逆椀状であってシンバル３００が当接する湾曲部４１２を有すると共に、中心軸にスタンド軸棒１００を貫通させる貫通孔４１８を有する形状である。また、支持具本体４１０の湾曲部４１２側の貫通孔４１８の開口部４１８ａが、湾曲状に面取りされている。【００５３】
シンバル用支持具４００（支持具本体４１０）の材質や硬度や使用方法は、シンバル用支持具１（支持具本体１０）と同様である。また、シンバル用支持具４００（支持具本体４１０）の大きさや湾曲部４１２の湾曲度合いは、底面４１６の直径が約３２ｍｍで、全体の高さが約１０ｍｍであり、湾曲部４１２の湾曲度合いは、半径約１０．２５ｍｍである。また、開口部４１８ａの湾曲状の面とりの湾曲度合いは、半径約３ｍｍである。
【実施例１０】
【００５４】
以下の実施例では、基本形となるシンバル用支持具１に近く、実使用上、シンバル３００の音色状好ましい形状の例について説明する（但し、シンバル用支持具１の土台部２４に相当する部分を有さない）。本発明に係るシンバル用支持具の第１０の実施の形態を示す説明図である。本実施例１０のシンバル用支持具５００は、支持具本体５１０からなり、支持具本体５１０は、中実の略逆椀状であってシンバル３００が当接する湾曲部５１２を有すると共に、中心軸にスタンド軸棒１００を貫通させる貫通孔５１８を有する形状である。また、支持具本体５１０の湾曲部５１２側の貫通孔５１８の開口部５１８ａが、湾曲状に面取りされている。【００５５】
シンバル用支持具５００（支持具本体５１０）の材質や使用方法は、シンバル用支持具１（支持具本体１０）と同様であるが、硬度は４０度である。また、シンバル用支持具５００（支持具本体５１０）の大きさや湾曲部５１２の湾曲度合いは、底面５１６の直径が３４ｍｍで、全体の高さが１７ｍｍであり、湾曲部５１２の湾曲度合いは、半径２５．５ｍｍである。また、開口部５１８ａの湾曲状の面とりの湾曲度合いは、半径１ｍｍである。【００５６】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。【００５７】
本出願は、２０１６年１１月１日に出願された日本国特許出願特願２０１６−２１３９９１号に基づく。本明細書中に日本国特許出願特願２０１６−２１３９９１号の明細書、特許請求の範囲、図面全体を参照として取り込むものとする。
【産業上の利用可能性】
【００５８】
以上のように、本発明によれば、シンバルの動きや振動の抑圧を軽減し、シンバルの本来の響きを確保しつつシンバルを保持可能なシンバル用支持具及びシンバル用支持具の使用方法を提供することができる。
【符号の説明】
【００５９】
１・・・・・・シンバル用支持具
２・・・・・・シンバル用支持具
３・・・・・・シンバル用支持具
４・・・・・・シンバル用支持具
５・・・・・・シンバル用支持具
６・・・・・・シンバル用支持具
７・・・・・・シンバル用支持具
８・・・・・・シンバル用支持具
９・・・・・・シンバル用支持具
１０・・・・・支持具本体
１２・・・・・湾曲部
１４・・・・・土台部
１６・・・・・底面
１８・・・・・貫通孔
１８ａ・・・・開口部
１８ｂ・・・・開口部
２０・・・・・支持具本体
２２・・・・・湾曲部
２４・・・・・土台部
２６・・・・・底面
２８・・・・・貫通孔
２８ａ・・・・開口部
３０・・・・・支持具本体
３２・・・・・湾曲部
３６・・・・・底面
３８・・・・・貫通孔
３８ａ・・・・開口部
４０・・・・・支持具本体
４２・・・・・湾曲部
４６・・・・・底面
４８・・・・・貫通孔
５０・・・・・支持具本体
５２・・・・・湾曲部
５４・・・・・土台部
５６・・・・・底面
５８・・・・・貫通孔
６０・・・・・支持具本体
６２・・・・・湾曲部
６４・・・・・土台部
６６・・・・・底面
６８・・・・・貫通孔
７０・・・・・支持具本体
７２・・・・・湾曲部
７４・・・・・土台部
７６・・・・・底面
７８・・・・・貫通孔
８０・・・・・支持具本体
８２・・・・・湾曲部
８６・・・・・底面
８８・・・・・貫通孔
９０・・・・・内挿部材
９０ａ・・・・先端部
９２・・・・・外周面
９４・・・・・貫通孔
１００・・・・スタンド軸棒
１０２・・・・ネジ部
１１０・・・・固定部材
１１２・・・・皿部
１１４・・・・円筒部
１１６・・・・ネジ山部
１２０・・・・蝶ネジ
２００・・・・支持具本体
２０２・・・・湾曲部
２０６・・・・底面
２０８・・・・貫通孔
３００・・・・シンバル
３１０・・・・シンバル本体
３１０ａ・・・上面
３１０ｂ・・・下面
３１２・・・・シンバル孔
４００・・・・シンバル用支持具
４１０・・・・支持具本体
４１２・・・・湾曲部
４１６・・・・底面
４１８・・・・貫通孔
４１８ａ・・・開口部
４１８ｂ・・・開口部
５００・・・・シンバル用支持具
５１０・・・・支持具本体
５１２・・・・湾曲部
５１６・・・・底面
５１８・・・・貫通孔
５１８ａ・・・開口部
５１８ｂ・・・開口部
【図１】
2018084026.tif 000003
【図２】
2018084026.tif 000004
【図３】
2018084026.tif 000005
【図４】
2018084026.tif 000006
【図５】
2018084026.tif 000007
【図６】
2018084026.tif 000008
【図７】
2018084026.tif 000009
【図８】
2018084026.tif 000010
【図９】
2018084026.tif 000011
【図１０】
2018084026.tif 000012
【図１１】
2018084026.tif 000013
【図１２】
2018084026.tif 000014
【図１３】
2018084026.tif 000015
【図１４】
2018084026.tif 000016
【図１５】
2018084026.tif 000017
【図１６】
2018084026.tif 000018
【国際調査報告】
2018084026.tif 000019
2018084026.tif 000020
2018084026.tif 000021
2018084026.tif 000022
2018084026.tif 000023
2018084026.tif 000024